(57)【特許請求の範囲】
【請求項１】
矩形形状の回路基板の実装面に所定の間隔で配置実装された複数の発光素子を封止する透明材料により形成される封止部の空気界面を光取り出し面とする光源であって、
前記封止部は前記実装面に対して概ね垂直な方向に延在する互いに平行な２つの側面を有し、当該２つの側面にはそれぞれ前記発光素子から発せられる光を前記方向に全反射させる複数の斜面を有するプリズムアレイを備える光源。
【請求項２】
前記プリズムアレイは、前記封止部の長手方向に延在する複数のプリズムを備え、
前記プリズムは、各々の有する斜面が前記側面に対して成す傾斜角がそれぞれ異なる請求項１に記載の光源。
【請求項３】
前記プリズムの斜面が前記実装面と成す第１の角度は、当該プリズムが前記回路基板から遠ざかるに従って大きくなることを特徴とする請求項２に記載の光源。
【請求項４】
前記第１の角度をθ１とし、前記発光素子の発光中心と前記斜面とを結ぶ直線が前記実装面と成す第２の角度をθ２とすると、
θ１  ≒  π／４  ＋  θ２／２
の関係が成立することを特徴とする請求項３に記載の光源。
【請求項５】
前記プリズムは前記実装面と前記側面との境界から前記方向に向かって所定の距離だけ延在し、前記プリズムの延在端に隣接する矩形ブロックを更に備える、請求項４に記載の光源。
【請求項６】
側面部に位置する入射面から導入された光を、互いに対向する反射面と出射面との間を全反射を繰り返しながらその全面に伝播させると共に、その一部を散乱させて、当該出射面より出射させて面状の照明を行う導光板と、
前記入射面に対向して設置され、前記導光板に光を供給する請求項１乃至５のいずれかに記載の光源とを備えるバックライト。
【発明の詳細な説明】
【技術分野】
【０００１】
本発明は、各種照明装置や表示装置に用いられる発光素子を用いた光出射効率の高い光源に関し、さらに当該光源が組み込まれたバックライトに関する。
【背景技術】
【０００２】
近年、発光素子として発光効率の高い発光ダイオード（以下、「ＬＥＤ」）が開発され、文字などをドットマトリクス表示する各種情報表示装置および交通用信号機などの表示機器に広く応用されている。さらに、ＬＥＤは、液晶表示装置用のバックライトの光源としての応用も、携帯電話などの小型表示装置を中心に拡大している。
【０００３】
ＬＥＤを用いてバックライトを形成する場合には、液晶表示装置の表示画面の大きさに応じて個数を調整した複数のＬＥＤ素子が用いられる。なお、ＬＥＤ素子をそれぞれ封止したものと、電極が形成されたパッケージ素子とを１つの回路基板上に配列して構成される光源を、導光板の端面に配置して光を導光板に入力させる方法（例えば、特許文献１参照）が一般的である。
【０００４】
さらに、１つの回路基板上に複数のＬＥＤ素子を配列して一体的に封止する方法が提案されている（例えば、特許文献２参照）。この方法においては、導光板の入射面の長手方向に広い開口が設けられており、個々のパッケージング素子を配列した場合に比べて、導光板の入射面の近傍で生じる明るさの斑の軽減が図られている。また、複数のＬＥＤ素子を一括して封止し、切断して製造出来るので、製造工程を簡略化して効率よく作成出来る。
【０００５】
図６および図７を参照して、上述の１つの回路基板上に複数のＬＥＤを配列して一体的に封止した光源を用いて構成されるバックライトの一例（特許文献１）について説明する。具体的には、図６は、バックライトにおいて、導光板１１０の側面部に光源１２０が配
された状態を示している。そして、図７は、図６におけるＶＩＩ−ＶＩＩ断面を示している。なお、図７には、図６において省略されている光学フィルム１５０が明示されている。
【０００６】
図６に示すように、回路基板１２２の上に配列された複数のＬＥＤ１２１が封止樹脂から成る封止部１２３によって封止されて光源１２０が形成されている。光源１２０は導光板１１０の側面に配置されている。光源１２０から発せられた光Ｌは、導光板１１０の側面部に位置する入射面１１５から導光板１１０内部に入射する。入射した光Ｌは、導光板１１０の互いに対向する２つの主面間を全反射を繰り返しながら、導光板１１０の内部を伝播する。２つの対向する主面とは、導光板１１０から光Ｌを外部に出射する出射面１１１と、導光板１１０の内部に光Ｌを反射する反射面１１２である。
【０００７】
出射面１１１に対向する反射面１１２の表面には、導光板１１０の内部を伝播する光Ｌの一部を出射面１１１を介して外部に出射させるために、所定の密度分布、所定の大きさの拡散反射層あるいは反射用凹凸が形成されている。拡散反射層あるいは反射用凹凸を形成する密度分布、および大きさ分布などを適度に設定することにより、液晶表示装置の表示画面の全面にわたってほぼ一様な照明が実現出来る。さらに、反射面１１２の側に反射シート１４０を設けることにより、反射面１１２から導光板１１０の外部に漏れる一部の光を、導光板１１０に向かって反射させることによって光Ｌの損失を防止している。なお、光源１２０から発せられた光Ｌが、出射面１１１以外の部分を介して導光板１１０の外部に出射することを光の損失と言う。
【０００８】
また、バックライトから出射する光Ｌの指向性を制御して所望の配光特性で液晶パネル（図示せず）を照明するために、出射面１１１側に拡散フィルムおよびプリズムシートに代表される光学フィルム１５０が一般的に設置される。さらに、導光板１１０の端面（入射面１１５）に光Ｌを有効に入射させるためには、ＬＥＤ１２１から発せられる光Ｌを導光板１１０の入射面１１５に対応する限定された領域に集中する必要がある。そのために、光源１２０を挟み込むように、リフレクタ１３０が設けられる。しかしながら、図７に示すような、光源１２０の側面部にリフレクタ１３０を単純に配置する構造では必ずしも光を有効利用出来ない。
【０００９】
以下に、図８を参照して、光源１２０の側面部にリフレクタ１３０を単純に配置する構造では光を有効利用出来ない理由について具体的に説明する。図８には、図７において、円Ｃで囲まれた光源１２０が左に９０度回転させた状態で拡大されて示されている。同図において点線で示すように、ＬＥＤ１２１から導光板１１０の入射面１１５に対して右方向に逸れた方向に発せられた光Ｌ’は、封止部１２３の右側面１２３ＳＲから外部に漏れ出す。漏れ出た光Ｌ’は、リフレクタ１３０によって反射されて、封止部１２３に再入射する。
【００１０】
封止部１２３の内部に再入射した光Ｌ’は、封止部１２３の前面部１２３Ｆによって、封止部１２３の左側面１２３ＳＬに向かって全反射される。つまり、封止材１２３として一般に使用可能な透明材料の屈折率は１．５程度である。この場合、空気との界面での臨界角は約４２度であり、互いに直交する面の一方に空気側から入射した光は他方の面で必ず全反射する。つまり、空気からの入射光は、封止部材内では、その入射面における法線方向から４２度以上にはなり得ず、それと直交する面にその法線から４８度以下の角度で入射し得ないからである。これは、平行平板の側面から入射した光は全反射を繰り返しながら伝播するという導光板１１０のメカニズムからも明らかである。
【００１１】
そして、光Ｌ’は、封止部１２３から射出して導光板１１０の入射面１１５に入射することなく、封止部１２３の左側面１２３ＳＬに向かい、左側面１２３ＳＬから外部に再度漏れ出す。漏れ出した光Ｌ’は、やはり、リフレクタ１３０によって反射されて、封止部１２３の内部に戻される。戻された光Ｌ’は、回路基板１２２の上に到達して、その一部は反射されて開口部に向かうものの、電極材料はレジスト材料などに吸収されて損失となる成分が発生する。
【００１２】
このように、従来のバックライトにおいては、ＬＥＤ１２１から発せられた光Ｌ’は、リフレクタ１３０によって封止部１２３の外部に漏れ出すことは防止されるが、導光板１１０の入射面１１５に入射出来ず、バックライトの照明としては利用されない成分が発生する。つまり、光の損失は完全には防止出来ずに、ＬＥＤ１２１から発せられた光の利用効率は低下する。
【００１３】
図９に、上述の問題を解決するために、封止部の断面形状を工夫して、光の取り出し効率の向上が図られている光源の一例（特許文献２参照）を示す。具体的には、図９にその断面を示すように、光源２２０の封止部２２３は回路基板２２２側から出射方向Ｄｒに向かって開く台形形状に構成されている。結果、ＬＥＤ２２１から発せられた光Ｌは、封止部２２３の側面部２２３Ｓに到達すると、そこで全反射されて光源２２０の開口（封止部２２３の前面部２２３Ｆ）の方向に向かう。そして、封止部２２３の前面部２２３Ｆから、外部に射出する。つまり、上述の、図８に示したような戻り光を発生することなく、高い光利用効率を実現することが出来る。
【特許文献１】特開２００１−４７３２１号公報
【特許文献２】特開２００４−２３５１３９号公報
【発明の開示】
【発明が解決しようとする課題】
【００１４】
しかしながら、図９に例示したような断面形状を有する光源２２０を用いると光源の開口幅（前面部２２３Ｆ）が大きくなり、厚い導光板を用いる必要が発生する。図１０を参照して、その理由について具体的に説明する。同図に示すように、封止部２２３の前面部２２３Ｆから出射される光Ｌを全て導入するためには、導光板２１０は、その入射面２１５の大きさが前面部２２３Ｆ以上に厚く構成されなければならない。なお、導光板２１０の出射面２１１の側には光学フィルム２５０が配され、反射面２１２の側には反射シート２４０が配されている。
【００１５】
この様に、厚い導光板２１０を用いると、必然的にバックライト自体も厚くなると共に重量も増加する。このような厚み増加あるいは重量増加は、携帯電話、ＰＤＡ、およびノートＰＣなどの携帯型情報機器にとってその商品価値が損なわれる要因となる。上述の問題を鑑みて、本発明は、発光素子からの光を少ない損失で出射面に集中することが出来る光源および当該光源を用いた効率よく明るく且つ薄型のバックライトを提供することを目的とする。
【課題を解決するための手段】
【００１６】
上述した課題を解決するために、本発明は、矩形上の回路基板の実装面の長手方向に所定の間隔で配置実装された複数の発光素子を封止する透明材料により形成される封止部の空気界面を光取り出し面とする光源であって、
前記封止部は前記実装面の長端部に対して概ね垂直且つ互いに平行な方向に延在する２つの側面を有し、当該２つの側面にはそれぞれ前記発光素子から発せられる光を前記方向に全反射させる複数の斜面を有するプリズムアレイを備える。
【発明の効果】
【００１７】
本発明に係る光源は、発光素子から側面方向へ出射する光を導光ブロックに設けた傾斜面で反射して、全反射しない角度で出射面に入射出来るので、少ない光量損失で光線を出射面に集中することが出来る。また、本発明の光源を用いた本発明のバックライトでは、発光素子からの光を有効に導光板入射面に導くことが出来るので、効率よく明るく且つ薄型のバックライトを実現出来る。
【発明を実施するための最良の形態】
【００１８】
（第１の実施の形態）
以下に、図１、図２、図３および図４を参照して、本発明の第１の実施の形態に係る光源について説明する。なお、図１は、本実施の形態にかかる光源ＬＳの外観を表している。そして、図２は、図１において矢印Ａｖに沿って見た光源ＬＳの端面の様子を表している。図１に示すように、光源ＬＳは基本的に矩形状の平板として構成されている回路基板３２２の実装面Ｐｍの上に、透明樹脂によって底面が回路基板３２２と同一形状を有する角柱状に成形された封止部３２３が設けられている。なお、回路基板３２２の実装面Ｐｍ上には、発光素子である複数のＬＥＤ３２１が実装されると共に封止部３２３によって封止されているが、図１においては作図上の都合によって表されていない。
【００１９】
封止部３２３は、回路基板３２２の長手方向の両端部（以降、「長端部」）に対して概ね垂直で、且つ互いに平行な２つの側面３２３Ｓを有する。さらに、封止部３２３は、回路基板３２２に対して概ね平行且つ対向する上面３２３Ｔを有する。なお、上面３２２Ｔは、両側面３２３Ｓに対して、概ね垂直である。そして、封止部３２３の短辺である両端部（以降、「短端部」）には、それぞれ側面３２３Ｓおよび上面３２３Ｔに対して、概ね垂直且つ、互いに平行な端面３２３Ｅを有する。
【００２０】
両側面３２３Ｓには、それぞれ、回路基板３２２と封止部３２３との境界、つまり実装面Ｐｍに接して、プリズムアレイ３２４が配されている。そして、側面３２３Ｓの上部には、矩形ブロック３２５が設けられている。なお、矩形ブロック３２５の下端は、プリズムアレイ３２４の上端に接すると共に、矩形ブロック３２５の上端面は、上面３２３Ｔと同一面上に位置する。
【００２１】
図２は、光源ＬＳの端面３２３Ｅ側を示しているために、ＬＥＤ３２１は１つだけしか表示されていないが、回路基板３２２の上面に在る実装面Ｐｍには、その長手方向に、複数個のＬＥＤ３２１が所定の間隔で設けられてＬＥＤアレイが構成されている。ＬＥＤ３２１の発光面の中心を発光中心Ｃｅと呼び、図２において一点鎖線で示される発光中心Ｃｅより発光面に対して概ね垂直に伸びる軸を発光軸Ａｅと呼ぶ。光源ＬＳがバックライトに組み込まれる際には、非光源ＬＳから出射される光が導光板に効率良く入射するように、上面３２３Ｔは導光板の入射面に対応するように配置されている。
【００２２】
この意味において、封止部３２３は、好ましくは、側面３２３Ｓが発光軸Ａｅに対して概ね平行で、上面３２３Ｔが発光軸Ａｅに対して概ね垂直であるように構成される。上述のように、光源ＬＳにおいては、光Ｌは、ＬＥＤ３２１の発光面から発光軸Ａｅに平行に上面３２３Ｔに向けて出射されるのが望ましい。しかしながら、実際は点線で示されるように、発光軸Ａｅに対して様々な角度を成す方向に出射されて、側面３２３Ｓを介して光源ＬＳの外部に漏れだしてしまう。この光の漏れ出しを防止する為にプリズムアレイ３２４が側面３２３Ｓに設けられている。
【００２３】
プリズムアレイ３２４は、好ましくは、それぞれ封止部３２３の長手方向に延在する直角三角形の断面を有する複数のプリズムＰが互いに接して形成されている。本実施の形態においては、回路基板３２２から見て、５つのプリズムＰ１、Ｐ２、Ｐ３、Ｐ４、およびＰ５が順番に積み上げられてプリズムアレイ３２４が構成されているが、必要とするプリズムの数は５に限定されない。また、必要に応じて、プリズムアレイ３２４を構成するプリズムＰ１、Ｐ２、Ｐ３、Ｐ４、およびＰ５をプリズムＰと総称する。
【００２４】
また、プリズムＰ１〜Ｐ５の断面形状はそれぞれ異なる大きさの直角三角形で規定されている。つまり、プリズムＰ１〜Ｐ５の直角三角形の断面形状において、直交する２辺の内で、封止部３２３の側面３２３Ｓに対して直交する辺は、回路基板３２２から遠ざかるにつれて短くなるように構成されている。つまり、プリズムＰ１、Ｐ２、Ｐ３、Ｐ４、およびＰ５の順番に、その斜辺が側面３２３Ｓに対して成す角度は小さくなるように構成されている。
【００２５】
これは、ＬＥＤ３２１から斜め方向に発せられた光Ｌが、プリズムアレイ３２４に入射した場合に、プリズムＰ１、Ｐ２、Ｐ３、Ｐ４、およびＰ５の斜面で全反射させて、外部への漏れ出すのを防止している。つまり、側面３２３Ｓでの反射角は、ＬＥＤ３２１からの距離が近いほど大きく、遠くなるほど小さくなることに対応させている。それ故に、ＬＥＤ３２１からの距離が遠い側面３２３Ｓでは、ＬＥＤ３２１からの光Ｌは全て全反射するので、プリズムアレイ３２４の変わりに、矩形ブロック３２５が設けられている。
【００２６】
図３を参照して、プリズムＰの斜辺の角度と、ＬＥＤ３２１との関係について説明する。図３に、図２と同様に、光源ＬＳの端面３２３Ｅをみた様子、但し側面３２３Ｓに設けられているプリズムＰ１〜Ｐ５の任意の一つが設けられている状態を示す。プリズムＰは、側面３２３Ｓに接する第１辺と、概ね直交する第２辺と、および所定の角度αを成して第１辺と第２辺をつなぐ第３辺で規定される直角三角形の断面形状を有する。以降、角度αを傾斜角と呼び、第３辺を斜辺Ｓｈ、傾斜角αに近接する第１辺を近接辺Ｓａと呼び、傾斜角αに対向する第２辺を対向辺Ｓｏと呼んで、それぞれを識別する。同様に、斜辺Ｓｈ、近接辺Ｓａ、および対向辺Ｓｏで規定される、プリズムＰの延在面をそれぞれ、斜面Ｐｈ、近接面Ｐａ、および対向面Ｐｏと識別する。
【００２７】
図３には、上述の説明の便宜上、封止部３２３の側壁にプリズムＰが１つだけ設けられている例が示されている。つまり、プリズムＰは、それぞれ、その傾斜角αが回路基板３２２（実装面Ｐｍ）に近く、対向面Ｐｏが回路基板３２２から遠くに位置するように、近接面Ｐａが回路基板３２２の側壁に密着して配される。
【００２８】
上述のように構成された光源ＬＳにおいて、プリズムＰの斜面Ｐｈが側面３２３Ｓあるいは発光軸Ａｅに対して垂直な法線Ｌｎと対して成す角度をθ１として、αとθ１との間には、次式（１）で表現される関係がある。
α＋θ１＝π／２            ・・・・  （１）
【００２９】
また、ＬＥＤ３２１の発光中心Ｃｅから斜面Ｐｈを結ぶ直線Ｌｅｈと実装面Ｐｍとが成す角をθ２とする。この場合、法線Ｌｎに対してθ３の角度を成す方向Ｄｒ（以降、「反射方向Ｄｒ」）に反射される。なお、直線ＬｅｈはＬＥＤ３２１からプリズムＰに向かって発せられた光Ｌの進路と同じである。また、θ３は次式（２）で表現される。
θ３＝２・θ１＋θ２        ・・・・  （２）
【００３０】
斜面Ｐｈで反射された光Ｌ’は、発光軸Ａｅに対してほぼ平行な方向に進む、つまり反射方向Ｄｒが発光軸Ａｅとほぼ平行であることが望ましい。この場合は、反射光Ｌ’は導光板の入射面に向かって進み、バックライトでの照明に供される。そのためには、θ３≒π／４であることが望ましい。
【００３１】
一方、θ３＜π／４の場合には、反射方向Ｄｒが発光軸Ａｅから離反する方向に傾く。つまり、ＬＥＤ３２１から発せられた光Ｌは、プリズムＰの斜面Ｐｈで反射された光Ｌ’は封止部３２３の上面３２３Ｔから離反して、導光板の入射面から逸れた方向に進み、バックライトでの照明に供されることなく損失となる。この損失を防止或いは低減する為には、上述の従来の光源と同様に、リフレクタを光源ＬＳ（プリズムアレイ３２４を含む）の側面に設ける必要がある。しかしながら、プリズムアレイ３２４から漏れだした光Ｌ’が、リフレクタで反射される際に、やはり反射による損失が生じる。
【００３２】
また、θ３＞π／４の場合は、反射方向Ｄｒが発光軸Ａｅから離反する方向に傾く。つまり、ＬＥＤ３２１から発せられた光Ｌは、斜面Ｐｈで封止部３２３の内部に向かって反射される。そして、反射された光Ｌ’は、当該プリズムＰに対応して、封止部３２３のもう一方の側面３２３Ｓに設けられたもう一方のプリズムアレイ３２４のプリズムＰの斜面Ｐｈに入射する確率が増大する。この場合、当該斜面Ｐｈにより封止部３２３に再入射する光Ｌ’の入射角度は、当該斜面Ｐｈに対する入射角よりも小さくなる。結果、当該斜面Ｐｈで反射された光Ｌ’は、封止部３２３に再入射した後に、対向する側面３２３Ｓ、あるいは対向側面３２３Ｓに設けられたプリズムＰの斜面Ｐｈで全反射されずに透過する確率が増加して損失を生じやすくなる。
【００３３】
上述の事実に基づいて、本発明においては、好ましくは、θ３＝２・θ１＋θ２≒π／４になるように、プリズムＰの斜面Ｐｈの角度θ１はπ／４−θ２／２前後に設定される。また、プリズムアレイ３２４からの出射光Ｌ’が側面３２３Ｓに垂直な面から封止部３２３に再入射すると、図７を参照して説明したように出射面で全反射して戻り光になる。この戻り光の発生を防止するために、複数のプリズムＰの最も大きな対向辺Ｓｏと同程度の厚みを有する矩形ブロック３２５が用いられる。このように構成することによって、戻り光が発生することなく、効率の高い光源ＬＳを実現出来る。
【００３４】
また、複数のプリズムＰによってプリズムアレイ３２４を構成することによって、プリズムＰを１つだけ用いる場合には大きく形成せざるを得ない斜面Ｐｈを分割して、光源ＬＳのＬＥＤアレイにおけるＬＥＤ３２１の配列方向と直交する方向の開口幅をほとんど大きくすることがなく、薄い導光板を用いることが可能である。なお、本実施の形態においては、プリズムＰは封止部３２３と別個に形成された後に、回路基板３２２に取り付けられるが、封止部３２３とプリズムＰを一体的に構成しても良いことはいうまでもない。さらに、本実施の形態においては、プリズムＰは直角三角形の断面形状を有する例について説明されているが、本発明においては、ＬＥＤ３２１から発せられた光ＬがプリズムＰに、上面３２３Ｔの方向に反射出来るような形状であれば良いことは明白である。
【００３５】
（第２の実施の形態）
図４を参照して、本発明の第２の実施の形態に係るバックライトについて説明する。なお、本実施の形態に係るバックライトＢＬは、上述の第１の実施の形態に係る光源ＬＳが組み込まれて構成されている。なお、図５には、上述の図６と同様に、バックライトの光源ＬＳから導光板３１０の他端に渡って切断した断面が示されている。
【００３６】
本例におけるバックライトＢＬは、図６に示した従来のバックライトにおいて、光源が光源ＬＳが用いられている。つまり、導光板３１０の出射面３１１側には光学フィルム３５０が配され、反射面３１２側には反射シート３４０が配されている。そして、導光板３１０の入射面３１５側に設けられた光源ＬＳの両側には、プリズムアレイ３２４を覆うようにリフレクタ３３０が配されている。なお、リフレクタ３３０は省略しても良いことは上述の通りである。
【００３７】
上述のように、本光源ＬＳは、回路基板３２２の実装面ＰｍよりほぼプリズムＰの対向辺Ｓｏだけ大きな範囲内で光を導光板３１０の入射面３１５に向けて照射出来る。よって、本バックライトＢＬにおいては、従来のバックライトにおけるように封止部の断面形状を台形として効率を高めた光源のために厚い導光板を用いる必要が無く、装置を薄くかつ軽量に構成出来る。
【産業上の利用可能性】
【００３８】
本発明は、携帯型情報機器の液晶表示装置等に組み込まれる光源あるいはバックライトに利用出来る。
【図面の簡単な説明】
【００３９】
【図１】本発明の第１の実施の形態に係る光源を示す斜視図
【図２】図１に示した光源の端部を表す図
【図３】図１に示したプリズムアレイを構成するプリズムの断面形状の説明図
【図４】図１に示した光源におけるプリズムによる光の反射の説明図
【図５】本発明の第２の実施の形態に係るバックライトの断面図
【図６】従来のバックライトの出射面側を示す平面図
【図７】図６におけるバックライトのＶＩＩ−ＶＩＩ断面図
【図８】従来のリフレクタを用いた光源における光の利用効率の説明図
【図９】図８に示したのとは異なる従来の光源における光の利用効率の説明図
【図１０】図９に示した従来の光源が組み込まれたバックライトの断面図
【符号の説明】
【００４０】
１１０、２１０、３１０  導光板
１２０、２２０、ＬＳ  光源
１２１、２２１、３２１  ＬＥＤ
１２２、２２２、３２２  回路基板
１２３、２２３、３２３  封止部
１３０、３３０  リフレクタ
１４０、２４０、３４０  反射シート
１５０、２５０、３５０  光学フィルム
３２３Ｓ  側面
３２３Ｔ  上面
３２３Ｅ  端面
３２４  プリズムアレイ
３２５  矩形ブロック
ＢＬ  バックライト
Ｌ  光
Ｐ  Ｐ１、Ｐ２、Ｐ３、Ｐ４、Ｐ５  プリズム
Ｐｍ  実装面
【図１】
0004530923.tif 000002
【図２】
0004530923.tif 000003
【図３】
0004530923.tif 000004
【図４】
0004530923.tif 000005
【図５】
0004530923.tif 000006
【図６】
0004530923.tif 000007
【図７】
0004530923.tif 000008
【図８】
0004530923.tif 000009
【図９】
0004530923.tif 000010
【図１０】
0004530923.tif 000011